(57)【要約】【課題】折り畳み式テーブルにおいて、広い下肢空間を確保しつつも、天板を安定して支持することが可能な技術を提供する。【解決手段】折り畳み式テーブルは、天板と、天板を支える左右の脚体と、を備え、天板を回動させることによって天板の姿勢を水平姿勢と起立姿勢とに切り替え可能な折り畳み式テーブルであって、天板の下面両側端に固定される軸受部材と、左右の脚体に設けられた支持部材と、支持部材同士を接続する支軸と、を更に備え、軸受部材は、天板に固定される固定板の両側から一対の側板が垂下した断面略コ字形状を有し、支持部材と軸受部材の外側の側板のうち何れか一方には、支軸と同軸に形成されると共に軸受部材を支持部材に対して回動可能に支持する回動軸部が形成され、軸受部材の内側の側板には、支軸に外嵌することによって軸受部材を支軸に対して回動可能に支持する支軸孔が形成される。【選択図】図８
2018011724.tif 000002
【特許請求の範囲】
【請求項１】
天板と、前記天板を支える左右の脚体と、を備え、前記天板を回動させることによって当該天板の姿勢を水平姿勢と起立姿勢とに切り替え可能な折り畳み式テーブルであって、
前記天板の下面両側端に固定される軸受部材と、前記左右の脚体に設けられた支持部材と、前記支持部材同士を接続する支軸と、を更に備え、
前記軸受部材は、前記天板に固定される固定板の両側から一対の側板が垂下した断面略コ字形状を有し、
前記支持部材と前記軸受部材の外側の側板のうち何れか一方には、前記支軸と同軸に形成されると共に前記軸受部材を前記支持部材に対して回動可能に支持する回動軸部が形成され、
前記軸受部材の内側の側板には、前記支軸に外嵌することによって前記軸受部材を前記支軸に対して回動可能に支持する支軸孔が形成される、
折り畳み式テーブル。
【請求項２】
前記軸受部材は、当該軸受部材の内側の側板に形成された切欠と、前記切欠に嵌着可能な嵌着部材と、を更に有し、
前記支軸孔は、前記嵌着部材に形成されている、
請求項１に記載の折り畳み式テーブル。
【請求項３】
前記天板の前記水平姿勢及び前記起立姿勢は、前記軸受部材の前記一対の側板同士の間に形成された収容空間の内部に収容されると共に当該軸受部材に支持されるラッチ部と、前記支持部材に設けられたラッチ受部が係合することによって維持され、
前記支持部材には、前記ラッチ受部と隣接配置されることによって使用者が当該ラッチ受部に接触することを抑制する接触抑制部材が設けられている、
請求項１又は２に記載の折り畳み式テーブル。
【請求項４】
前記軸受部材の前記一対の側板の端部同士を接続することによって前記収容空間を覆うカバー部材を更に備え、
前記カバー部材は、前記収容空間の内部に対向する面であるカバー裏面に突起部を有し、
前記突起部は、前記天板が前記水平姿勢と前記起立姿勢との間を回動する過程において、前記カバー部材と前記接触抑制部材との隙間から前記収容空間の内部に使用者の指が侵入することを抑制するように形成されている、
請求項３に記載の折り畳み式テーブル。
【請求項５】
前記ラッチ部は、前記ラッチ受部に対して相対回動することによって、前記ラッチ受部との係合とその解除を切り替え可能であり、
前記カバー部材の前記カバー裏面には、前記収容空間へ向かって立設する一対のガイド壁が形成され、
前記一対のガイド壁は、前記ラッチ部の一部を当該ガイド壁同士の隙間に受け入れることによって、前記ラッチ部の回動をガイドする、
請求項４に記載の折り畳み式テーブル。
【請求項６】
前記一対のガイド壁のうち、少なくとも一方は、前記突起部によって形成される、
請求項５に記載の折り畳み式テーブル。
【発明の詳細な説明】
【技術分野】
【０００１】
本発明は、折り畳み式テーブルに関する。
【背景技術】
【０００２】
従来、左右の脚体の上端部に、天板の下面両側部を回動可能に連結し、天板を略水平な使用姿勢と上方へ回動させた起立姿勢とに固定する折畳み式テーブルが広く利用されている。そして、天板の両側下面に取付けたブラケットを脚体の上端部に回動可能に連結すると共に、天板が水平姿勢と起立姿勢とを維持するロック機構をブラケット内に設けることが広く知られている。
【０００３】
一般に、折畳み式テーブルには、荷重に対する剛性を保つために、左右の脚体を連結するビーム材が横架されている。近年、下肢空間を広げるために、ビーム材を天板下面に近く配置した構造を備える折り畳み式テーブルが提供されている。例えば、特許文献１には、下肢空間を最大限広げるためにビーム材（支持部材）の同軸上付近に天板の回動軸（支持軸）が配置されている折り畳み式テーブルが開示されている。
【先行技術文献】
【特許文献】
【０００４】
【特許文献１】特許第５６３５８３６号公報
【発明の概要】
【発明が解決しようとする課題】
【０００５】
特許文献１に開示された折り畳み式テーブルは、脚部上に回動自在に取り付けられる天板と、脚部上端に取り付けられるヒンジ金具と、ヒンジ金具に連結される支持部材（ビーム材）と、天板の左右端部近傍に設けられ、天板を支持する天板受金具（ラッチフレーム）と、ヒンジ金具に設けられ、天板受金具を回動自在に支持し、又は天板受金具に設けられ、ヒンジ金具によって回動自在に支持される支持軸（回動軸）と、を備えている。特許文献１に記載の折り畳み式テーブルは、支持軸が支持部材の横断面の範囲内に設けられており、天板受金具とヒンジ金具の支持構造は、回動自在な支持が前記支持軸の１箇所のみの片持ち方式となっている。
【０００６】
特許文献１に記載の折り畳み式テーブルによれば、天板の回動軸となる支持軸が、支持部材の横断面の範囲内に設けられているため、下肢空間を広く確保することができる。しかしながら、同文献に記載の折り畳み式テーブルは、天板が固定される天板受金具が、ヒンジ金具の１箇所のみによって支持される片持ち方式を採用しているため、天板受金具の剛性を確保することが困難である。その結果、天板等の荷重によって天板受金具に捩れや撓みが生じ、天板を安定して支持することができない虞があった。
【０００７】
本発明は、上記の問題を鑑みてなされたものであり、その目的は、折り畳み式テーブルにおいて、天板を安定して支持することが可能な技術を提供することである。
【課題を解決するための手段】
【０００８】
上記課題を解決するため、本発明は、以下の手段を採用した。即ち、本発明に係る折り畳み式テーブルは、天板と、前記天板を支える左右の脚体と、を備え、前記天板を回動させることによって当該天板の姿勢を水平姿勢と起立姿勢とに切り替え可能な折り畳み式テーブルであって、前記天板の下面両側端に固定される軸受部材と、前記左右の脚体に設けられた支持部材と、前記支持部材同士を接続する支軸と、を更に備え、前記軸受部材は、
前記天板に固定される固定板の両側から一対の側板が垂下した断面略コ字形状を有し、前記支持部材と前記軸受部材の外側の側板のうち何れか一方には、前記支軸と同軸に形成されると共に前記軸受部材を前記支持部材に対して回動可能に支持する回動軸部が形成され、前記軸受部材の内側の側板には、前記支軸に外嵌することによって前記軸受部材を前記支軸に対して回動可能に支持する支軸孔が形成される。
【０００９】
本発明に係る折り畳み式テーブルによると、支持部材を介して左右の脚体同士を接続する支持軸と、天板が固定された軸受部材の回動軸となる回動軸部が、同軸に設けられ、且つ、軸受部材が、回動軸部と支軸とによって回動可能に支持されているため、軸受部材の剛性をより高めることができる。よって、本発明によれば、従来よりも安定して天板を支持することが可能となる。
【００１０】
また、本発明は、前記軸受部材は、当該軸受部材の内側の側板に形成された切欠と、前記切欠に嵌着可能な嵌着部材と、を更に有し、前記支軸孔は、前記嵌着部材に形成されていてもよい。これによれば、本発明に係る折り畳み式テーブルを組み立てる際に、支軸をＵ字型の切欠が開口している方向から軸受部材に取り付けることができる。そのため、本発明によれば、折り畳み式テーブルの組み立てを容易に行うことができる。
【００１１】
また、本発明は、前記天板の前記水平姿勢及び前記起立姿勢は、前記軸受部材の前記一対の側板同士の間に形成された収容空間の内部に収容されると共に当該軸受部材に支持されるラッチ部と、前記支持部材に設けられたラッチ受部が係合することによって維持され、前記支持部材には、前記ラッチ受部と隣接配置されることによって使用者が当該ラッチ受部に接触することを抑制する接触抑制部材が設けられていてもよい。これによれば、使用者の指等がラッチ受部に接触し難くなるため、天板の回動の際に使用者の指等が折り畳み式テーブルに巻き込まれることを抑制することができる。
【００１２】
また、本発明は、前記軸受部材の前記一対の側板の端部同士を接続することによって前記収容空間を覆うカバー部材を更に備え、前記カバー部材は、前記収容空間の内部に対向する面であるカバー裏面に突起部を有し、前記突起部は、前記天板が前記水平姿勢と前記起立姿勢との間を回動する過程において、前記カバー部材と前記接触抑制部材との隙間から前記収容空間の内部に使用者の指が侵入することを抑制するように形成されていてもよい。本発明によれば、使用者の指等がカバー部材と接触抑制部材との隙間から軸受部材の内側に入り難くすることができるため、天板の回動の際に使用者の指等が折り畳み式テーブルに巻き込まれることをより一段と抑制することができる。
【００１３】
更に、本発明は、前記ラッチ部は、前記ラッチ受部に対して相対回動することによって、前記ラッチ受部との係合とその解除を切り替え可能であり、前記カバー部材の前記カバー裏面には、前記収容空間へ向かって立設する一対のガイド壁が形成され、前記一対のガイド壁は、前記ラッチ部の一部を当該ガイド壁同士の隙間に受け入れることによって、前記ラッチ部の回動をガイドしてもよい。そうすることによって、ラッチ部の回動軸方向の位置ずれを抑制することができる。
【００１４】
尚、本発明は、前記一対のガイド壁のうち、少なくとも一方は、前記突起部によって形成されていてもよい。
【発明の効果】
【００１５】
本発明によれば、折り畳み式テーブルにおいて、より安定して天板を支持することができる。
【図面の簡単な説明】
【００１６】
【図１】本実施形態に係る折畳み式テーブルにおいて、天板が水平姿勢にあるときの全体斜視図である。
【図２】本実施形態に係る折畳み式テーブルにおいて、天板が水平姿勢にあるときの側面図である。
【図３】本実施形態に係る折畳み式テーブルにおいて、天板が起立姿勢にあるときの側面図である。
【図４】本実施形態に係る折畳み式テーブルにおいて、天板が起立姿勢にあるときの部分拡大図である。
【図５】本実施形態に係る折畳み式テーブルの部分分解図である。
【図６】本実施形態に係る折畳み式テーブルの部分分解図である。
【図７】本実施形態に係る折畳み式テーブルの部分分解図である。
【図８】本実施形態に係る折畳み式テーブルの部分断面図である。
【図９】本実施形態に係る折畳み式テーブルのラッチフレームを示す図である。
【図１０】本実施形態に係る折畳み式テーブルの接触抑制スペーサを示す図である。
【図１１】本実施形態に係る折畳み式テーブルのフレームカバーを示す図である。
【図１２】本実施形態に係る折畳み式テーブルのラッチフレームとフレームカバーの関係を示す図である。
【図１３Ａ】本実施形態に係る折畳み式テーブルにおいて、天板が水平姿勢にあるときの説明図である。
【図１３Ｂ】本実施形態に係る折畳み式テーブルにおいて、天板が水平姿勢にあるときの説明図である。
【図１３Ｃ】本実施形態に係る折畳み式テーブルにおいて、天板が水平姿勢と起立姿勢の間にあるときの説明図である。
【図１３Ｄ】本実施形態に係る折畳み式テーブルにおいて、天板が起立姿勢にあるときの説明図である。
【発明を実施するための形態】
【００１７】
以下、本発明の好適な実施の形態について、図面を参照して説明する。但し、以下で説明する実施形態は本発明を実施するための例示であり、本実施形態に記載されている構成要素の寸法、材質、形状、その相対配置等は、特に特定的な記載がない限りは、発明の技術的範囲をそれらのみに限定する趣旨のものではない。図１は、本実施形態の折り畳み式テーブルの天板が水平姿勢のときの全体斜視図、図２は天板が水平姿勢のときの側面図、図３は天板が起立姿勢のときの側面図である。
【００１８】
図１に示すように、本実施形態の折り畳み式テーブル１００は、天板２０と、天板２０を支える左右の脚体３０、３０と、左右の脚体３０、３０を接続するビーム４０と、天板２０の下面両側端に固定され天板２０をビーム４０回りに回動可能に連結する回動機構１０、１０と、回動機構１０、１０と連結するレバー機構５０、５０と、天板２０及び脚体３０、３０に連結されると共に天板２０の下方に略垂直に配置される幕板６０と、天板２０の下面に固定される棚７０とを、備える。尚、本明細書では、幕板６０に対して脚体３０、３０が位置する方向を「手前」方向とし、天板２０、脚体３０、３０で囲まれる領域を「内側」とする。
【００１９】
本実施形態に係る折り畳み式テーブル１００は、天板２０を、図２に示すような略水平な使用姿勢（水平姿勢）と、図３に示すような天板２０の前部が上方へ向いた折り畳み姿勢（起立姿勢）とに変更することができる。また、幕板６０は、天板２０と連動するようにリンク連結されたものであり、天板２０の姿勢の切り替えに伴って、天板２０下方に接近して垂下した使用姿勢と両脚体３０、３０の前縁に沿った折畳み姿勢との間を移動可能に設けられている。折り畳み式テーブル１００は、天板２０を起立姿勢とすることによって前後にスタッキング可能である。
【００２０】
天板２０は、水平姿勢若しくは起立姿勢において、回動機構１０によって、それぞれの姿勢にロック（維持）されている。使用者は、レバー機構５０、５０より露出した操作レバー５０１、５０１のうち一方を天板２０に近づく方向に押し上げることにより回動機構１０のロックを解除し、天板２０を水平姿勢と起立姿勢との間で回動変位させることができる。折り畳み式テーブル１００は、天板２０が水平姿勢若しくは起立姿勢に至ったとき、回動機構１０によってロックが掛かるようになっている。
【００２１】
脚体３０、３０は、回動機構１０を介して天板２０を支持する部材である。図２、３に示すように、脚体３０は側面視において略倒Ｙ字形状を有している。脚体３０は、ビーム４０と接続される支持脚３０１と、支持脚３０１の端部より異なる二方向に延在し地面に接地する接地脚３０２、３０２とを有する。支持脚３０１の、折り畳み式テーブル１００において内側に位置する面には、回動機構１０及び幕板６０を接続するためのネジ穴が複数設けられている（図５参照）。また、接地脚３０２の端部には、折り畳み式テーブル１００を円滑に移動させるためのキャスター３０３が設けられている。尚、本発明における脚体３０の構造は特に限定されず、適宜変更することができる。
【００２２】
図４は、本実施形態に係る折り畳み式テーブル１００が起立姿勢のときにおける部分斜視図、図５〜７は、折り畳み式テーブル１００の部分分解図、図８は図２で示すＡ−Ａ断面における折り畳み式テーブル１００の部分断面図である。以下、図を用いて、本実施形態に係る折り畳み式テーブル１００のビーム４０、回動機構１０、レバー機構５０について説明する。
【００２３】
ビーム４０は、脚体３０、３０同士を接続することで折り畳み式テーブル１００の剛性を高めると共に、天板２０の回動軸となる部材である。ビーム４０は、鉄鋼系材料で成形された鋼管であり、図７に示すように、端部が開口する円筒形状を有している。また、図１に示すように、ビーム４０は、回動機構１０を介して左右の脚体３０、３０を接続する。ビーム４０が回動機構１０を介して左右の脚体３０、３０を接続することによって梁部材として機能するため、折り畳み式テーブル１００の構造体としての剛性を確保することができる。また、詳細については後述するが、ビーム４０は、天板２０の回動軸としての機能も備えている。そのため、本実施形態に係る折り畳み式テーブル１００は、従来の折り畳み式テーブルと比較して、より広い下肢空間を確保することができる。尚、ビーム４０が、本発明における「支軸」に相当する。
【００２４】
次に、回動機構１０について説明する。回動機構１０は、天板２０を脚体３０に対して回動可能に接続する機構であり、天板２０の姿勢を水平姿勢若しくは起立姿勢にロックする機能を備えている。図４に示すように、本実施形態に係る回動機構１０は、軸ピン１、ラッチ２、ラッチプレート３、ラッチフレーム４、フレームカバー５、プレート補強部材６、接触抑制スペーサ７、を含む。回動機構１０は、ラッチ２をラッチプレート３に係止することによって、天板２０の姿勢を水平姿勢若しくは起立姿勢にロックする。
【００２５】
ラッチプレート３は、ラッチ２を係止することによって天板２０の姿勢をロックする部材である。また、ラッチプレート３は、軸ピン１とビーム４０とを同軸となるように接続することで、軸ピン１とビーム４０を介してラッチフレーム４を支持する機能を有する。図５に示すように、ラッチプレート３は脚体３０の支持脚３０１の上端部に接続される。ラッチプレート３は、鉄鋼系材料の加工によって形成され、図７に示すように板形状を有している。また、ラッチプレート３は、長手方向の断面視において段差を形成しており、段差を境に互いに平行なラッチ受部３１と接続部３２とに区分される。尚、ラッチ受部３１と接続部３２との段差は傾斜部３３によって接続されている。また、図８に示すように、ラッチプレート３は、折り畳み式テーブル１００において内方向に位置する面３Ａと外
方向に位置する面３Ｂを有する。ここで、面３Ａ、３Ｂにおけるラッチ受部３１の領域をそれぞれ面３１Ａ、３１Ｂ、接続部３２の領域をそれぞれ面３２Ａ、面３２Ｂ、傾斜部３３の領域をそれぞれ面３３Ａ、面３３Ｂと称する。面３２Ｂは、面３１Ｂの垂線方向において面３１Ｂよりも突出している。また、図７に示すように、ラッチ受部３１の周縁には、ラッチ２と係合する部位である第一係合切欠３１１と第二係合切欠３１２が形成されている。第一係合切欠３１１は、天板２０が水平姿勢のときにラッチ２を係止し、第二係合切欠３１２は、天板２０が起立姿勢のときにラッチ２を係止するものである。折り畳み式テーブル１００において、第二係合切欠３１２はラッチ受部３１の上端に位置し、第一係合切欠３１１はラッチ受部３１の手前の側端に形成されている。また、ラッチ受部３１には、軸ピン１が挿通される接続孔３１３が形成されている。
【００２６】
図８に示すように、折り畳み式テーブル１００において、ラッチプレート３の面３１Ａには、ビーム４０の一端が面３１Ａに対して垂直に接続される。このとき、ビーム４０の中心軸は、接続孔３１３及び軸ピン１の中心軸と同軸となる。そして、図５に示すように、ラッチプレート３が、支持脚３０１の内側の側面にネジ止めによって接続される。即ち、ラッチプレート３、３がビーム４０の両端に接続され、更に、それぞれのラッチプレート３、３に脚体３０、３０が接続される。そうすることにより、左右の脚体３０、３０がビーム４０によって接続され、折り畳み式テーブル１００の構造体としての剛性が確保される。尚、ラッチプレート３は、本発明における「支持部材」に相当する。
【００２７】
軸ピン１は、ビーム４０と共に天板２０の回動軸となる部材である。図７、８に示すように、軸ピン１は、ラッチプレート３のラッチ受部３１に設けられる。軸ピン１は、鉄鋼系材料によって円柱形状に形成され、軸方向において異なる径を有する。また、軸ピン１には、ラッチプレート３に設けられた接続孔３１３に挿通可能な外径寸法を有する回動軸部１１と、接続孔３１３よりも外径寸法の大きい径大部１２とが形成されている。また、径大部１２の外径寸法は、ビーム４０の外径寸法よりも小さい。図８に示すように、軸ピン１は、ラッチプレート３のラッチ受部３１の面３１Ａから回動軸部１１を挿通し、径大部１２の端面が面３１Ａに当接すると共に回動軸部１１が面３１Ｂから垂直に突出した状態で、ラッチプレート３に溶接される（図４、６参照）。図８に示すように、折り畳み式テーブル１００において、軸ピン１の中心軸とビーム４０の中心軸とが同軸となっている。即ち、軸ピン１は、ビーム４０の両端にラッチプレート３を挟んだ状態で、ビーム４０と同軸となるように設けられている。そして、図４、８に示すように、回動軸部１１には、ラッチフレーム４が回動可能に外嵌される。尚、折り畳み式テーブル１００における軸ピン１及びビーム４０の中心軸であって天板２０及びラッチフレーム４の回動中心となる軸を、回動軸Ａ１と称する。
【００２８】
プレート補強部材６は、ラッチプレート３に取り付けられると共にビーム４０に当接することによって、ラッチプレート３及びビーム４０の撓みを抑制するための部材である。プレート補強部材６は、鉄鋼系材料の加工によって形成され、図７に示すように、ベース部６Ａと、ベース部６Ａの短手方向の両端からベース部６Ａの面に対して垂直に延在する側壁部６Ｂ、６Ｂとを有する。また、プレート補強部材６は、ベース部６Ａの短手方向において左右対称の形状を有している。図５に示すように、プレート補強部材６は、折り畳み式テーブル１００において、側壁部６Ｂ、６Ｂの先端がラッチプレート３に当接するように取り付けられる。
【００２９】
図７に示すように、プレート補強部材６の側壁部６Ｂは、ラッチプレート３の面３１Ａ、３２Ａ、３３Ａに隙間無く当接できるように、先端が段差を有する形状となっている。更に、ベース部６Ａの長手方向の一端には、円弧状の円弧切欠６１が形成されており、円弧切欠６１の径はビーム４０の外径と略等しい。プレート補強部材６は、円弧切欠６１と側壁部６Ｂとがビーム４０と当接することによってビーム４０を軸支する。尚、側壁部６
Ｂのベース部６Ａからの高さ寸法は、ビーム４０を好適に軸支可能なように、所定の高さ以上に設計されている。また、側壁部６Ｂには、接触抑制スペーサ７を取り付けるための取付スリット６２が貫通している。
【００３０】
ラッチ２は、ラッチプレート３と係合することによって天板２０の姿勢を水平姿勢や起立姿勢にロックする部材である。図４に示すように、ラッチ２は、ラッチフレーム４を介して天板２０と連結される。ラッチ２は、鉄鋼系材料の加工によって形成されている。また、図６に示すように、ラッチ２の長手方向の一端には、係合爪２１が短手方向に湾曲するように突出して形成されている。係合爪２１は、ラッチプレート３の第一係合切欠３１１及び第二係合切欠３１２と係合可能な形状を有している。また、ラッチ２の他端付近には、略小判形に形成された長孔２２がラッチ２を厚み方向に貫通している。尚、ラッチ２が、本発明における「ラッチ部」に相当する。
【００３１】
次に、ラッチフレーム４について説明する。ラッチフレーム４は、図４に示すように、天板２０に固定されると共にビーム４０及び軸ピン１の回動軸部１１に回動可能に取り付けられることによって、回動軸Ａ１回りの天板２０の回動を実現する部材である。図９（ａ）は、ラッチフレーム４の全体を示し、図９（ｂ）は、ラッチフレーム４の摺動リング４５が拡開された状態を示す図である。ラッチフレーム４は、鉄鋼系材料の加工によって形成され、図９（ａ）に示すように、天板２０に固定される略長方形状の固定板４Ａと、固定板４Ａの長手方向に沿う両端から固定板４Ａに対して垂直に延在する第一側板４１、第二側板４２とを有する。第一側板４１及び第二側板４２は、平面視において外形が同形状であり、共に略台形状となっている。図８に示すように、ラッチフレーム４は、断面視において略コ字形状を形成し、折り畳み式テーブル１００において、第一側板４１が第二側板４２よりも内側に位置するように配置される。ここで、第一側板４１と第二側板４２との間に画定される空間を収容空間Ｓと称する。図４に示すように、収容空間Ｓには、ラッチ２、ラッチプレート３、プレート補強部材６、接触抑制スペーサ７が収容される。第一側板４１と第二側板４２との間隔、即ち、固定板４Ａの幅は、収容空間Ｓに上記の部材を収容するために十分な寸法となっている。
【００３２】
また、図９（ａ）に示すように、第一側板４１及び第二側板４２は、固定板４Ａの長手方向において中途から側端にかけて幅が漸減するように形成されており、それぞれ、基端となる固定板４Ａの端辺と平行な先端辺４１Ａ、４２Ａと、斜辺４１Ｂ、４２Ｂとを有する。斜辺４１Ｂ、４２Ｂは天板２０が水平姿勢のときに、先端辺４１Ａ、４２Ａよりも手前に位置するように形成されている。第二側板４２の、基端と先端辺４２Ａとの中央付近には、第二側板４２を貫通する軸ピン孔４４が形成されている。軸ピン孔４４の径は、軸ピン１の回動軸部１１を挿通可能であって、軸ピン孔４４が回動軸部１１の回りに摺動可能となるような寸法となっている。また、先端辺４１Ａには、第一側板４１の基端付近にまで至るＵ字形状のＵ字切欠４３が形成されている。Ｕ字切欠４３には、ビーム４０が摺動可能に挿通される摺動リング４５が嵌着される。
【００３３】
摺動リング４５は、樹脂材料によって形成され、図９（ａ）に示すように、Ｕ字切欠４３に嵌着されると共にビーム４０回りに摺動することによって、ラッチフレーム４のビーム４０に対する相対回動を許容する部材である。摺動リング４５には、ビーム４０を挿通可能な径を有するビーム孔４５１が形成されている。即ち、摺動リング４５は、ビーム４０の側面に対してビーム孔４５１の内壁で摺動可能となっている。また、ビーム孔４５１は、摺動リング４５がＵ字切欠４３に嵌着されたときに、中心軸が軸ピン孔４４の中心軸と同軸となるように形成されている。ラッチフレーム４は、ビーム孔４５１と軸ピン孔４４の中心軸が一致していることによって、回動軸Ａ１回りに回動自在に取り付けることができる。また、摺動リング４５は、Ｕ字切欠４３に嵌着可能とするために、平面視においてＵ字切欠４３の内縁と同形状となるＵ字形状のＵ字縁４５２と、Ｕ字縁４５２の端部同
士を接続する直線縁４５３とによって外形を形成している。直線縁４５３の中央付近には、ビーム孔４５１にまで至るスリット４５４が形成されている。図９（ｂ）に示すように、摺動リング４５は、スリット４５４を拡開することによって、Ｕ字縁４５２の中央付近に形成されたヒンジ部４５５を支点として半割状態とすることができる。
【００３４】
また、図９（ａ）に示すように、ラッチフレーム４の第一側板４１及び第二側板４２には、フレームカバー５を取付けるための取付孔４６、４６がそれぞれ設けられている。また、第一側板４１及び第二側板４２には、レバー機構５０の操作レバー５０１をラッチフレーム４に対して回動可能に接続するための、レバー貫通孔４７、４７が設けられている。尚、ラッチフレーム４が本発明における「軸受部材」に相当し、摺動リング４５が「嵌着部材」に相当し、ビーム孔４５１が「支軸孔」に相当する。
【００３５】
接触抑制スペーサ７は、図４、７に示すように、プレート補強部材６を介してラッチプレート３に設けられる部材である。接触抑制スペーサ７は、ラッチプレート３のラッチ受部３１に隣接するように設けられることによって、ラッチプレート３に使用者の指等が接触することを抑制する。図１０は、接触抑制スペーサ７を示す図である。接触抑制スペーサ７は、樹脂材料の加工によって形成される。図１０（ａ）、（ｂ）に示すように、接触抑制スペーサ７は、土台となる支板７１と、支板７１の両面の周縁から支板７１の面に対して垂直に延設された縁板７２と、縁板７２に囲まれた領域を分断する仕切板７３とを有する。縁板７２は、図１０（ｂ）に示す接触抑制面７２１を有する。接触抑制スペーサ７は、折り畳み式テーブル１００において、収容空間Ｓの内部に設けられ、支板７１がラッチプレート３と平行となると共に接触抑制面７２１が手前に位置するように配置される。
【００３６】
接触抑制面７２１は曲面で形成され、天板２０が回動する際にフレームカバー５と接触しないように、側面視においてドーム形状を有している。また、図４に示すように、接触抑制面７２１は、折り畳み式テーブル１００において、ラッチ受部３１に隣接し、且つ、ラッチ受部３１よりも手前に突出するように形成されている。その結果、使用者の指がラッチ受部３１に接触することが抑制される。また、図１０（ｂ）に示すように、接触抑制スペーサ７のプレート補強部材６と対向する面には、プレート補強部材６の取付スリット６２と係合する取付片７４と、ビーム４０と当接するように円弧形状に切り欠けられたビーム当接片７５が設けられている。尚、接触抑制スペーサ７が、本発明における「接触抑制部材」に相当する。
【００３７】
フレームカバー５は、図６に示すように、ラッチフレーム４の第一側板４１及び第二側板４２の端部同士を接続することによって、収容空間Ｓを覆う部材である。即ち、フレームカバー５は、天板２０と共に回動軸Ａ１を軸として回動する。フレームカバー５は、樹脂材料によって形成され、中途で折り曲がった帯形状を有している。フレームカバー５は、短手方向において対称の形状を有しているため、折り畳み式テーブル１００の両端の回動機構１０、１０で共通の形状を用いることができる。
【００３８】
図１１（ａ）は、フレームカバー５を示す図、図１１（ｂ）は、折り畳み式テーブル１００におけるフレームカバー５とラッチ２の位置関係を示す図である。図１１（ａ）に示すように、フレームカバー５は、折り曲げ部分を境に、ラッチフレーム４の第一側板４１及び第二側板４２の先端辺４１Ａ、４２Ａに当接する第一カバー部５Ａと、斜辺４１Ｂ、４２Ｂに当接する第二カバー部５Ｂとに区分される。第一カバー部５Ａの長手方向の長さは、ラッチフレーム４の先端辺４１Ａ、４２Ａの長さよりも短く形成されている。また、フレームカバー５の、ラッチフレーム４に装着された際に内側に位置する面、即ち収容空間Ｓに対向する面（以下、「カバー裏面」）には、フレームカバー５の剛性を高めるためのリブ５１が形成されている。リブ５１は、フレームカバー５の両側端付近に長手方向に沿うように形成される縦リブ５１ａ、５１ａと、縦リブ５１ａ、５１ａと直交する複数の
横リブ５１ｂとを有する。縦リブ５１ａ及び横リブ５１ｂは、それぞれ、第一カバー部５Ａのカバー裏面に対して垂直に突出している。縦リブ５１ａ、５１ａには、ラッチフレーム４の取付孔４６、４６と係合することによってラッチフレーム４にフレームカバー５を固定する取付爪５２、５２が形成されている。
【００３９】
また、第一カバー部５Ａのカバー裏面には、突起５３が形成されている。詳細については後述するが、突起５３は、使用者の指が回動機構１０の内部に接触することを抑制すると共に、ラッチ２の軸方向の位置ずれを抑制するために設けられている。突起５３は、側面視において三角形状を有すると共に縦リブ５１ａと平行となるように等間隔に配置される複数の三角リブ５３１と、横リブ５１ｂと平行となるように配置されると共に複数の三角リブ５３１を接続することによって三角リブ５３１を補強する補強リブ５３２とを有する。三角リブ５３１は、第一カバー部５Ａの先端に連なる斜面５３１ａを有している。フレームカバー５は、天板２０が水平姿勢及び起立姿勢にあるときや水平姿勢から起立姿勢との間を回動する際に、斜面５３１ａと接触抑制スペーサ７の接触抑制面７２１との隙間が所定の大きさ以下となるように形成されている。また、突起５３は、フレームカバー５の短手方向において中央に位置している。突起５３の両側端に位置する三角リブ５３１、５３１と縦リブ５１ａ、５１ａとの間には、同幅寸法のラッチガイド５４、５４が形成されている。ここで、ラッチガイド５４は、三角リブ５３１と縦リブ５１ａとの間に形成される空間のことを指す。図１１（ｂ）に示すように、ラッチガイド５４の幅寸法は、ラッチ２の厚み寸法よりも若干大きくなっている。
【００４０】
尚、図１２に示すように、フレームカバー５とラッチフレーム４が接続された状態では、外部から収容空間Ｓの内部に通じる開口Ｈが形成されている。開口Ｈは、天板２０が水平姿勢と起立姿勢と回動する際にラッチプレート３やプレート補強部材６、接触抑制スペーサ７に、フレームカバー５とラッチフレーム４が干渉しないために形成されている（図１３Ａ〜１３Ｄ参照）。尚、フレームカバー５が、本発明における「カバー部材」に相当し、突起５３が「突起部」に相当する。また、三角リブ５３１及び縦リブ５１ａが本発明における「一対のガイド壁」に相当する。
【００４１】
次に、レバー機構５０について説明する。図１に示すように、レバー機構５０、５０は、折り畳み式テーブル１００の両側に設けられている。また、図５に示すように、レバー機構５０は、使用者が回動操作する操作レバー５０１と、使用者が一方のレバー機構５０に設けられた操作レバー５０１を操作した際に、他方のレバー機構５０を連動させるためのリンクパイプ５０２と、ラッチ２をラッチプレート３に係合する方向に附勢するバネ部材（図示なし）と、を有する。尚、レバー機構５０、５０において、リンクパイプ５０２は同一のものが用いられる。図５に示すように、操作レバー５０１は、使用者が保持する操作部５０１ａと、操作部５０１ａの側面から垂直に突出する接続柱５０１ｂとを有している。接続柱５０１ｂは断面視において略小判形に形成されている。
【００４２】
図６に示すように、折り畳み式テーブル１００において、操作レバー５０１の接続柱５０１ｂが、ラッチフレーム４に設けられたレバー貫通孔４７、４７に挿通されることによってラッチフレーム４を貫通する。このとき、接続柱５０１ｂは、ラッチフレーム４の内部のラッチ２に設けられた長孔２２を貫通すると共に、接続柱５０１ｂの側面が長孔２２の内壁と係合する。その結果、ラッチ２が、ラッチフレーム４に対して回動可能に接続される。そして、操作部５０１ａの回動操作に伴って、ラッチ２は接続柱５０１ｂの延伸方向を回動軸Ａ２として回動することができる。また、リンクパイプ５０２は両端が開口した四角筒形状を有している。リンクパイプ５０２の一端には、ラッチフレーム４を貫通した接続柱５０１ｂの先端が挿入されると共に接続柱５０１ｂの側面がリンクパイプ５０２の内壁と係合する。即ち、操作部５０１ａの回動操作に伴って、リンクパイプ５０２が同方向に回動する。そして、リンクパイプ５０２の他端には、他方のレバー機構５０の接続
柱５０１ｂが接続される。そうすることによって、折り畳み式テーブル１００において、使用者が一方の操作レバー５０１を回動操作するのみで、回動機構１０、１０のラッチ２、２を同時且つ同方向に回動させることができる。
【００４３】
次に、本実施形態に係る折り畳み式テーブル１００において、回動機構１０を組み立てる際の順序について説明する。まず、図７に示す状態から、ラッチプレート３の接続孔３１３から軸ピン１を挿入し、回動軸部１１が面３１Ｂから突出した状態で軸ピン１とラッチプレート３とを溶接する。その状態で、軸ピン１の中心軸とビーム４０の中心軸とが同一となるように、ビーム４０の両端にラッチプレート３を溶接する。次に、プレート補強部材６をラッチプレート３に溶接する。その状態で、プレート補強部材６に接触抑制スペーサ７を接続する。次に、ラッチフレーム４のＵ字切欠４３にビーム４０を逃がしながら、ラッチプレート３をラッチフレーム４内の収容空間Ｓに収納し、回動軸部１１を軸ピン孔４４に挿通する。そして、図９（ｂ）に示すように、摺動リング４５をスリット４５４から拡開して半割状態にし、摺動リング４５をビーム４０に装着することでビーム孔４５１にビーム４０を挿通する。その状態で、摺動リング４５をラッチフレーム４のＵ字切欠４３に嵌着する。このようにして、ラッチフレーム４がビーム４０と回動軸部１１とに接続される。そして、天板２０にラッチフレーム４の固定板４Ａを固定すると共にレバー機構５０をラッチフレーム４に接続する。その状態でフレームカバー５の取付爪５２、５２をラッチフレーム４の取付孔４６、４６と係合することによってラッチフレーム４にフレームカバー５を固定する。これにより、図４に示す回動機構１０が組み立てられる。
【００４４】
尚、この状態では、プレート補強部材６は、ラッチプレート３に溶接されると共に、円弧切欠６１と側壁部６Ｂとでビーム４０の下方に溶接されている。そのため、ラッチプレート３やビーム４０の撓みが抑制されている。また、回動機構１０に開口Ｈが形成されていることによって、天板２０が回動するための空間が確保されている。より詳細には、天板２０の回動がラッチフレーム４やフレームカバー５によって阻害されない。
【００４５】
以上のように、本実施形態に係る折り畳み式テーブル１００は、回動軸部１１がビーム４０と同軸となるように設けられている。そのため、折り畳み式テーブル１００によれば、梁部材と天板の回動軸とを別部材によって構成する従来の折り畳み式テーブルと比較して、より広い下肢空間を確保することができる。
【００４６】
そして、本実施形態に係る折り畳み式テーブル１００は、天板２０に固定されたラッチフレーム４が、回動軸部１１のみでなくビーム４０に対しても回動可能に取り付けられる。より詳細には、ラッチフレーム４は、第二側板４２に形成された軸ピン孔４４がビーム４０と同軸に設けられた回動軸部１１に回動可能に支持されると共に、第一側板４１に形成されたビーム孔４５１がビーム４０に回動可能に支持されている。即ち、ラッチフレーム４は、回動軸部１１とビーム４０との２箇所で支えられている。そのため、本実施形態に係る折り畳み式テーブル１００によると、ラッチフレームを１箇所で支持する片持ち方式である従来の折り畳み式テーブルと比較して、ラッチフレーム４の剛性をより高めることができ、荷重によるラッチフレーム４に捩れや撓みを生じ難くすることができる。その結果、本実施形態に係る折り畳み式テーブル１００によれば、天板２０をより安定して支持することがきる。
【００４７】
また、本実施形態に係る折り畳み式テーブル１００は、ビーム孔４５１が、ラッチフレーム４の第一側板４１に形成されたＵ字切欠４３に嵌着可能な摺動リング４５に形成されている。そのため、ビーム４０にラッチフレーム４を接続する際に、ビーム４０をＵ字切欠４３に逃がすことができ、ラッチプレート３やプレート補強部材６が接続されているビーム４０に対してラッチフレーム４を容易に接続することができる。また、ビーム４０をＵ字切欠４３に逃がしながら回動軸部１１を軸ピン孔４４に挿通した後で、摺動リング４
５をビーム４０に装着した状態で摺動リング４５をＵ字切欠４３に嵌着することによって、ラッチフレーム４をビーム４０と回動軸部１１とに接続することができ、ビーム４０とビーム孔４５１との軸合わせを容易に行うことができる。従って、本実施形態に係る折り畳み式テーブル１００によれば、従来よりも組み立てを容易に行うことができる。
【００４８】
また、折り畳み式テーブル１００の回動機構１０には、ラッチフレーム４が回動するための空間を確保するために、開口Ｈが形成されている。そのため、例えば、図４に示すように、起立姿勢において、収容空間Ｓ内部のラッチプレート３の第一係合切欠３１１の位置に開口Ｈが開口しており、第一係合切欠３１１がフレームカバー５によって覆われていない。しかしながら、上述したように、本実施形態に係る折り畳み式テーブル１００は、ラッチプレート３にプレート補強部材６を介して接触抑制スペーサ７が設けられている。そして、接触抑制スペーサ７は、収容空間Ｓにおいてラッチプレート３と隣接配置されている。接触抑制スペーサ７の接触抑制面７２１はラッチプレート３よりも手前に突出しているため、使用者の指等が開口Ｈからラッチプレート３に接触することが抑制される。その結果、本実施形態に係る折り畳み式テーブル１００によれば、天板２０の回動の際に使用者の指等が不意に収容空間Ｓに巻き込まれることを抑制することができる。
【００４９】
次に、本実施形態に係る折り畳み式テーブル１００の天板２０を水平姿勢から起立姿勢に切り替える際の動作について説明する。図１３Ａ〜１３Ｄは、本実施形態に係る折り畳み式テーブル１００の天板２０が水平姿勢から起立姿勢に至る過程における説明図である。図１３Ａは、天板２０が水平姿勢にある状態を示す図である。図１３Ａに示すように、天板２０が水平姿勢から起立姿勢へ至る際の天板２０の回動軸Ａ１回りの回動方向を第一方向Ｄ１、第一方向Ｄ１とは反対の方向であって、起立姿勢から水平姿勢へ至る際の回動方向を第二方向Ｄ２とする。また、折り畳み式テーブル１００は、操作レバー５０１の操作部５０１ａの先端を天板２０に近づける操作を行うことによって、天板２０の姿勢維持を解除する。その際、操作レバー５０１が回動軸Ａ２を軸に回動すると共にラッチ２が操作レバー５０１と同方向に回動して係合爪２１がラッチプレート３から離間する。この、天板２０の姿勢維持を解除するために操作レバー５０１及びラッチ２が回動軸Ａ２回りに方向を解除方向Ｄ３とし、解除方向Ｄ３と反対回りの方向を係合方向Ｄ４とする。本実施形態に係る折り畳み式テーブル１００は、ラッチ２がバネ部材の附勢力によって、常に係合方向Ｄ４に附勢されている。
【００５０】
図１３Ａに示すように、水平姿勢の状態では、ラッチ２の係合爪２１がラッチプレート３の第一係合切欠３１１と係合することによって、ラッチ２がラッチプレート３に係止されている。そのため、天板２０の第一方向Ｄ１への回動が規制されている。また、ラッチ２はバネ部材によって係合方向Ｄ４に附勢されており、不用意に係合爪２１と第一係合切欠３１１との係合が解除されることを抑制している。その結果、この状態では、天板２０は水平姿勢にロックされている。
【００５１】
この状態から天板２０の姿勢を起立姿勢に切り替えるには、使用者が折り畳み式テーブル１００の両端に設けられたレバー機構５０、５０のうち、一方のレバー機構５０を操作してロックを解除する必要がある。尚、レバー機構５０、５０及び回動機構１０、１０はそれぞれ、リンクパイプ５０２を介して連動しているため、一方のレバー機構５０を操作するのみでロックの解除が可能である。以下、一方のレバー機構５０及び回動機構１０のみの動作について説明し、他方の動作は同様の動きであるため、説明は割愛する。
【００５２】
天板２０のロックを解除するには、使用者が操作レバー５０１の操作部５０１ａの先端を天板２０に接近させる方向に押し上げることによって、操作レバー５０１を解除方向Ｄ３へ回動させる。すると、それに伴ってラッチ２も解除方向Ｄ３へ回動するため、図１３Ｂに示すように、ラッチ２の係合爪２１が第一係合切欠３１１から離れる。その結果、係
合爪２１と第一係合切欠３１１との係合が解除され、天板２０の水平姿勢のロックが解除される。この状態で天板２０の姿勢を切り替えることが可能となる。即ち、天板２０をＤ１へ回動させることが可能となる。
【００５３】
天板２０のロックが解除された状態で、天板２０の姿勢を水平姿勢から起立姿勢に切り替えるためには、天板２０を第一方向Ｄ１に回動させる。図１３Ｃは、天板２０が第一方向Ｄ１へ回動した状態を示す図、図１３Ｄは、天板２０が起立姿勢にロックされた状態を示す図である。使用者が天板２０を第一方向Ｄ１へ回動させようと天板２０を押操作すると、ラッチフレーム４の軸ピン孔４４及びビーム孔４５１が回動軸部１１及びビーム４０回りに摺動することによって、天板２０が第一方向Ｄ１へ回動する。天板２０は、図１３Ｃに示す状態を経て、完全に起立した状態となる。ラッチ２はバネ部材によって常に係合方向Ｄ４に附勢されているため、自動的に係合方向Ｄ４へ回動し、図１３Ｄに示すように、係合爪２１と第二係合切欠３１２とが係合する。その結果、天板２０の第二方向Ｄ２への回動が規制され、天板２０が起立姿勢にロックされる。以上の動作によって、天板２０の姿勢が水平姿勢から起立姿勢へと切り替えられる。
【００５４】
尚、天板２０を起立姿勢から水平姿勢へと切り替える際には、上記と逆の操作を行えばよい。即ち、操作レバー５０１を解除方向Ｄ３へ回動させることによって、ラッチ２の係合爪２１とラッチプレート３の第二係合切欠３１２との係合を解除し、天板２０を第二方向Ｄ２へ回動させる。そうすることによって天板２０が水平姿勢となる。この状態で、操作レバー５０１が係合方向Ｄ４へ回動し、ラッチ２の係合爪２１とラッチプレート３の第一係合切欠３１１とが係合することによって、天板２０が水平姿勢にロックされる。
【００５５】
ここで、本実施形態に係る折り畳み式テーブル１００は、フレームカバー５の突起５３を形成する三角リブ５３１の斜面５３１ａが、接触抑制スペーサ７との隙間が常に所定の大きさ以下となるように形成されている。図１３Ａ〜１３Ｄの図中における点Ｐは、斜面５３１ａ上の点であって、フレームカバー５が回動する軸である回動軸Ａ１から最も近い点を示す。また、図中の一点鎖線で示される円Ｃは、回動軸Ａ１を中心とする円を示し、円Ｃの半径は回動軸Ａ１と点Ｐとの距離と等しい。即ち、天板２０が水平姿勢と起立姿勢との間を回動する際に、点Ｐは円Ｃ上を移動する。折り畳み式テーブル１００は、円Ｃと、接触抑制スペーサ７の接触抑制面７２１との距離が所定の値以下となるように設計されている。そうすることによって、天板２０が水平姿勢と起立姿勢との間においてどの位置にあっても、斜面５３１ａと接触抑制スペーサ７との隙間が所定の大きさ以下に保たれる。所定の大きさとは、使用者の指等が隙間に侵入することを防止することができる程度の大きさである。
【００５６】
即ち、本実施形態に係る折り畳み式テーブル１００は、フレームカバー５のカバー裏面に突起５３が設けられており、突起５３が、天板２０が水平姿勢と起立姿勢との間を回動する際に使用者の指等がフレームカバー５と接触抑制スペーサ７との隙間から収容空間Ｓの内部に入り難くなるように形成されている。そのため、折り畳み式テーブル１００によれば、天板２０の回動の際に使用者の指等が不意に収容空間Ｓの内部に巻き込まれることをより一段と抑制することができる。
【００５７】
また、上述したように、天板２０の姿勢のロックを解除若しくは姿勢をロックするための操作レバー５０１の回動操作に伴い、ラッチ２も解除方向Ｄ３若しくは係合方向Ｄ４へ回動する。このとき、ラッチ２の回動は、フレームカバー５のカバー裏面から収容空間Ｓに向けて立設する三角リブ５３１及び縦リブ５１ａによって形成されたラッチガイド５４によってガイドされている。より詳細には、ラッチ２は、その回動する範囲において、回動軸Ａ２の軸方向から縦リブ５１ａと三角リブ５３１との隙間に受け入れられている。そのため、本実施形態に係る折り畳み式テーブル１００によれば、ラッチ２の回動軸Ａ２回
りの回動はガイドしつつも、ラッチ２の回動軸方向への位置ずれを抑制することができる。
【００５８】
尚、以上の説明では、ラッチガイド５４を縦リブ５１ａと突起５３によって形成したが、本発明はこれに限定するものではない。即ち、ラッチガイド５４はフレームカバー５のカバー裏面より収容空間Ｓの内部に向かって立設する一対のガイド壁によって形成されていてもよい。
【００５９】
また、本実施形態では、ラッチプレート３より回動軸部１１が突出し、ラッチフレーム４に軸ピン孔４４が形成されていたが、本発明はこれに限定するものではない。即ち、ラッチフレーム４に天板２０の回動軸となる回動軸部が設けられ、ラッチプレート３に当該回動軸部を軸支する孔が設けられていてもよい。また、本発明は、ラッチプレート３と脚体３０を一体の部材としてもよい。
【００６０】
また、本実施形態では、ラッチプレート３、プレート補強部材６、接触抑制スペーサ７を、それぞれ別部材で構成したが、本発明はこれに限定しない。即ち、プレート補強部材６と接触抑制スペーサ７とを一体の部材で構成してもよいし、ラッチプレート３とプレート補強部材６とを一体の部材で構成してもよく、また、ラッチプレート３とプレート補強部材６と接触抑制スペーサ７とを一体の部材で構成してもよい。
【００６１】
また、本実施形態では、摺動リング４５とフレームカバー５を別部材として構成したが、本発明はこれに限定するものではなく、摺動リング４５とフレームカバー５を一体の部材として構成してもよい。
【００６２】
更に、本実施形態では、ラッチ２がラッチプレート３と係合するための爪を有し、ラッチプレート３が切欠を有したが、本発明はこれに限定するものではない。即ち、ラッチ２が係合用の切欠を有し、ラッチプレート３が係合用の爪を有していてもよい。
【００６３】
尚、上記した種々の内容は、本発明の技術的思想を逸脱しない範囲において、可能な限り組み合わせることができる。
【符号の説明】
【００６４】
１・・・軸ピン
１１・・・回動軸部
２・・・ラッチ（ラッチ部）
３・・・ラッチプレート（支持部材）
３１・・・ラッチ受部
４・・・ラッチフレーム（軸受部材）
４５・・・摺動リング（嵌着部材）
４５１・・・ビーム孔（支軸孔）
５・・・フレームカバー（カバー部材）
５３・・・突起（突起部）
５４・・・ラッチガイド
６・・・プレート補強部材
７・・・接触抑制スペーサ（接触抑制部材）
１０・・・回動機構
２０・・・天板
３０・・・脚体
４０・・・ビーム（支軸）
５０・・・レバー機構
６０・・・幕板
７０・・・棚
１００・・・折り畳み式テーブル
Ｓ・・・収容空間
【図１】
2018011724.tif 000003
【図２】
2018011724.tif 000004
【図３】
2018011724.tif 000005
【図４】
2018011724.tif 000006
【図５】
2018011724.tif 000007
【図６】
2018011724.tif 000008
【図７】
2018011724.tif 000009
【図８】
2018011724.tif 000010
【図９】
2018011724.tif 000011
【図１０】
2018011724.tif 000012
【図１１】
2018011724.tif 000013
【図１２】
2018011724.tif 000014
【図１３Ａ】
2018011724.tif 000015
【図１３Ｂ】
2018011724.tif 000016
【図１３Ｃ】
2018011724.tif 000017
【図１３Ｄ】
2018011724.tif 000018